(57)【要約】【課題】高輝度及び高コントラストが実現されるプラズマディスプレイパネルに関してリセット期間の強放電によって維持期間で誤放電を発生させないプラズマディスプレイパネルの駆動方法を提供する。【解決手段】複数の電極が交差する領域で放電セルが限定され、画像を表示する単位フレームが複数のサブフィールドに分けられて、各サブフィールドはリセット期間、アドレス期間、及び維持期間に分けられるプラズマディスプレイパネルの駆動方法において、リセット期間で、複数の電極のうち第１の電極にリセット立下りパルスが印加され、第１の電極に並んで延長される第２の電極には、リセット立下りパルス印加時からバイアス電圧が印加され、リセット立下りパルス印加時からリセット期間終了までのうち所定期間の間に前記第２の電極には、フローティングされるか、或いはバイアス立下りパルスが印加される。【選択図】図６
2007133353.tif 000002
【特許請求の範囲】
【請求項１】
複数の電極が交差する領域で放電セルが限定され、画像を表示する単位フレームが複数のサブフィールドに分けられて、各サブフィールドは、全体放電セルを初期化するリセット期間、全体放電セルのうち点灯するセルと点灯しないセルとを区分するアドレス期間、及び点灯するセルに選択された放電セルで各サブフィールド別に割り当てられた階調加重値によって維持放電を行う維持期間に分けられるプラズマディスプレイパネルの駆動方法において、
前記リセット期間で、前記複数の電極のうち第１の電極にリセット立下りパルスが印加され、前記複数の電極のうち前記第１の電極に並んで延長される第２の電極には、前記リセット立下りパルス印加時からバイアス電圧が印加され、前記リセット立下りパルス印加時からリセット期間終了までのうち所定期間の間に前記第２の電極は、フローティングされることを特徴とするプラズマディスプレイパネルの駆動方法。
【請求項２】
前記リセット立下りパルス印加時から第１の期間の間に前記第２の電極には、前記バイアス電圧が印加され、前記第１の期間以後から前記リセット期間終了までの第２の期間の間に前記第２の電極は、フローティングされることを特徴とする請求項１に記載のプラズマディスプレイパネルの駆動方法。
【請求項３】
前記アドレス期間で、前記第１の電極には、ハイレベルを維持していて順次にローレベルを有する走査パルスが印加され、前記複数の電極のうち前記第１の電極及び第２の電極に交差して延長される第３の電極には、前記走査パルスに合わせてハイレベルを有する表示データ信号が印加され、前記第２の電極には、前記バイアス電圧が印加されることを特徴とする請求項１に記載のプラズマディスプレイパネルの駆動方法。
【請求項４】
前記維持期間に、前記第１の電極及び第２の電極には、ハイレベル及びローレベルを有する維持パルスが交互に印加されることを特徴とする請求項１に記載のプラズマディスプレイパネルの駆動方法。
【請求項５】
前記複数のサブフィールドのうち少なくとも第１のサブフィールドのリセット期間で、前記第１の電極に前記リセット立下りパルスが印加される前にリセット立上りパルスがさらに印加されることを特徴とする請求項１に記載のプラズマディスプレイパネルの駆動方法。
【請求項６】
複数の電極が交差する領域で放電セルが限定され、画像を表示する単位フレームが複数のサブフィールドに分けられて、各サブフィールドは、全体放電セルを初期化するリセット期間、全体放電セルのうち点灯するセルと点灯しないセルとを区分するアドレス期間、及び点灯するセルに選択された放電セルで各サブフィールド別に割り当てられた階調加重値によって維持放電を行う維持期間に分けられるプラズマディスプレイパネルの駆動方法において、
前記リセット期間で、前記複数の電極のうち第１の電極にリセット立下りパルスが印加され、前記複数の電極のうち前記第１の電極に並んで延長される第２の電極には、前記リセット立下りパルス印加時からバイアス電圧が印加され、前記リセット立下りパルス印加時からリセット期間終了までのうち所定期間の間に前記第２の電極には、バイアス立下りパルスが印加されることを特徴とするプラズマディスプレイパネルの駆動方法。
【請求項７】
前記リセット立下りパルス印加時から第３の期間の間に前記第２の電極には、前記バイアス電圧が印加され、前記第３の期間以後から前記リセット期間終了までの第４の期間の間に前記第２の電極には、バイアス立下りパルスが印加されることを特徴とする請求項６に記載のプラズマディスプレイパネルの駆動方法。
【請求項８】
前記アドレス期間で、前記第１の電極には、ハイレベルを維持していて順次にローレベルを有する走査パルスが印加され、前記複数の電極のうち前記第１の電極及び第２の電極に交差して延長される第３の電極には、前記走査パルスに合わせてハイレベルを有する表示データ信号が印加され、前記第２の電極には、前記バイアス電圧が印加されることを特徴とする請求項６に記載のプラズマディスプレイパネルの駆動方法。
【請求項９】
前記維持期間に、前記第１の電極及び第２の電極には、ハイレベル及びローレベルを有する維持パルスが交互に印加されることを特徴とする請求項６に記載のプラズマディスプレイパネルの駆動方法。
【請求項１０】
前記複数のサブフィールドのうち少なくとも第１のサブフィールドのリセット期間で、前記第１の電極に前記リセット立下りパルスが印加される前にリセット立上りパルスがさらに印加されることを特徴とする請求項６に記載のプラズマディスプレイパネルの駆動方法。
【発明の詳細な説明】
【技術分野】
【０００１】
本発明は、プラズマディスプレイパネルの駆動方法に係り、より詳しくは、高輝度及び高コントラストが実現されるプラズマディスプレイパネルについてリセット期間の強放電によって維持期間で誤放電が発生しないようにするプラズマディスプレイパネルの駆動方法に関する。
【背景技術】
【０００２】
最近では、従来の陰極線管ディスプレイ装置を代替するものであって、注目を浴びているプラズマディスプレイパネルは、複数の電極が形成された両基板の間に放電ガスが封入された後で放電電圧が加えられ、これにより発生する紫外線によって所定のパターンに形成された蛍光体が励起されて所望の画像を得る装置である。
【０００３】
図１は、プラズマディスプレイパネルを駆動するための従来の駆動信号を示すタイミング図である。
【０００４】
図１では、リセット期間ＰＲで、走査電極Ｙ１，…，Ｙｎに維持放電電圧Ｖｓから立上り最高電圧Ｖｓ＋Ｖｓｅｔまで立ち上がるリセット立上りパルス、及び維持放電電圧Ｖｓから立下り最低電圧Ｖｎｆまで立ち下がるリセット立下りパルスが印加され、維持電極Ｘ１，…，Ｘｎには、リセット立下りパルス印加時からバイアス電圧Ｖｂが印加される。リセット立上りパルス及びリセット立下りパルスの印加で放電セル内では、壁電荷がたまってから消去されながら微弱な放電が行われ、結局全体放電セルが初期化される。
【０００５】
アドレス期間ＰＡで、走査電極Ｙ１，…，ＹｎにハイレベルＶｓｃｈ及びローレベルＶｓｃｌを有する走査パルスが順次に印加され、アドレス電極Ａ１，…，Ａｍに走査パルスに合わせてハイレベルＶａを有する表示データ信号が印加されてアドレス放電が行われる。
【０００６】
維持期間ＰＳで、走査電極Ｙ１，…，Ｙｎ及び維持電極Ｘ１，…，ＸｎにハイレベルＶｓ及びローレベルＶｇを交互に有する維持パルスが交互に印加されて、アドレス放電が行われた、すなわち点灯するセルに区分された放電セルで維持放電が行われる。
【０００７】
一方、高輝度及び高コントラストを実現するためのプラズマディスプレイパネルの趨勢に応じて、放電ガスとしてＮｅ，Ｘｅなどが含まれた混合ガスを使用し、Ｘｅの分圧を高めた放電ガスを使用する趨勢である。このようにＸｅの分圧を高めるようになれば、円滑な放電のため高電圧の放電電圧を使用しなければならない。
【０００８】
高輝度及び高コントラストを実現するためにＸｅの分圧を高めたプラズマディスプレイパネルについて、図１のような従来のプラズマディスプレイパネルの駆動方法を使用すれば、パネル内の放電不良、具体的には、誤放電が発生する問題点が起こる。
【０００９】
図１のリセット立上りパルス直後及びリセット立下りパルス直後の放電セル内の壁電荷状態を示す図７Ａ及び図７Ｂを参照して詳述すれば、リセット立上りパルス直後には、走査電極に印加されるリセット立上りパルスによって走査電極近傍には、負極性の壁電荷が、維持電極及びアドレス電極近傍には、正極性の壁電荷がたまりながら（図７Ａ）微弱なリセット放電が行われるが、リセット立下りパルス直後には、維持電極と走査電極との間の電位差が大きくて維持電極の間と走査電極との間で微弱なリセット放電ではない放電強度の大きいリセット放電が発生する。そのような強放電によって、走査電極と維持電極との間に壁電荷が適切に消去されずに図７Ｂのようにアドレス電極近傍には、正極性の壁電荷が、維持電極近傍には、負極性の壁電荷がたまるようになる。そのような場合に、アドレス期間にアドレッシングされない放電セル（アドレス放電が行われない放電セル）で維持放電が行われる（誤放電が行われる）問題点が起こる。
【発明の開示】
【発明が解決しようとする課題】
【００１０】
本発明の技術的課題は、高輝度及び高コントラストが実現されるプラズマディスプレイパネルに関してリセット期間の強放電によって維持期間で誤放電を発生させないプラズマディスプレイパネルの駆動方法を提供するところにある。
【課題を解決するための手段】
【００１１】
前記技術的課題を達成するため本発明によるプラズマディスプレイパネルの駆動方法は、複数の電極が交差する領域で放電セルが限定され、画像を表示する単位フレームが複数のサブフィールドに分けられて、各サブフィールドは全体放電セルを初期化するリセット期間、全体放電セルのうち点灯するセルと点灯しないセルとを区分するアドレス期間、及び点灯するセルに選択された放電セルで各サブフィールド別に割り当てられた階調加重値によって維持放電を行う維持期間に分けられるプラズマディスプレイパネルの駆動方法において、リセット期間で、複数の電極のうち第１の電極にリセット立下りパルスが印加され、複数の電極のうち第１の電極に並んで延長される第２の電極には、リセット立下りパルス印加時からバイアス電圧が印加され、リセット立下りパルス印加時からリセット期間終了までのうち所定期間の間に前記第２の電極は、フローティングされることを特徴とする。
【００１２】
このような本発明の他の特徴によれば、リセット立下りパルス印加時から第１の期間の間に第２の電極には、バイアス電圧が印加され、第１の期間以後からリセット期間終了までの第２の期間の間に第２の電極は、フローティングされうる。
【００１３】
また、本発明によるプラズマディスプレイパネルの駆動方法は、複数の電極が交差する領域で放電セルが限定され、画像を表示する単位フレームが複数のサブフィールドに分けられて、各サブフィールドは全体放電セルを初期化するリセット期間、全体放電セルのうち点灯するセルと点灯しないセルとを区分するアドレス期間、及び点灯するセルに選択された放電セルで各サブフィールド別に割り当てられた階調加重値によって維持放電を行う維持期間に分けられるプラズマディスプレイパネルの駆動方法において、リセット期間で、複数の電極のうち第１の電極にリセット立下りパルスが印加され、複数の電極のうち第１の電極に並んで延長される第２の電極には、リセット立下りパルス印加時からバイアス電圧が印加され、リセット立下りパルス印加時からリセット期間終了までのうち所定期間の間に前記第２の電極には、バイアス立下りパルスが印加されることを特徴とする。
【００１４】
このような本発明の他の特徴によれば、リセット立下りパルス印加時から第３の期間の間に第２の電極には、バイアス電圧が印加され、第３の期間以後からリセット期間終了までの第４の期間の間に第２の電極には、バイアス立下りパルスが印加されうる。
【００１５】
このような本発明のさらに他の特徴によれば、アドレス期間で、第１の電極には、ハイレベルを維持していて順次にローレベルを有する走査パルスが印加され、複数の電極のうち第１の電極及び第２の電極に交差して延長される第３の電極には、走査パルスに合わせてハイレベルを有する表示データ信号が印加され、第２の電極には、バイアス電圧が印加されうる。
【００１６】
このような本発明のさらに他の特徴によれば、維持期間に、第１の電極及び第２の電極には、ハイレベル及びローレベルを有する維持パルスが交互に印加されうる。
【００１７】
このような本発明のさらに他の特徴によれば、複数のサブフィールドのうち少なくとも第１のサブフィールドのリセット期間で、第１の電極にリセット立下りパルスが印加される前にリセット立上りパルスがさらに印加されうる。
【発明の効果】
【００１８】
本発明によれば、次の通りの効果を得ることができる。
【００１９】
リセット期間中、特に、リセット立下りパルス印加時から維持電極にバイアス電圧を印加し、リセット立下りパルス印加時からリセット期間終了までの期間のうち所定期間の間維持電極をフローティングさせるか、或いは維持電極にバイアス立下りパルスを印加すれば、放電セル内で、特に、維持電極と走査電極との間で微弱なリセット放電が行われる。このような微弱なリセット放電は、Ｘｅの分圧が高い高輝度用プラズマディスプレイパネルでさらに効果的に、従来とは違って、リセット期間で維持電極と走査電極との間で強放電が発生せず、また維持期間で誤放電が発生しない。すなわち、プラズマディスプレイパネルで放電が安定的に行われる。
【発明を実施するための最良の形態】
【００２０】
以下、添付した図面に基づき本発明の実施形態について詳細に説明する。
【００２１】
図２は、本発明のプラズマディスプレイパネルの駆動方法が適用されうるプラズマディスプレイパネルの電極配置を示した一例である。
【００２２】
第１の電極（走査電極）Ｙ１，…，Ｙｎ及び第２の電極（維持電極）Ｘ１，…，Ｘｎは、互いに並んで延長され、第３の電極（アドレス電極）Ａ１，…，Ａｍは、第１の電極Ｙ１，…，Ｙｎ及び第２の電極Ｘ１，…，Ｘｎに交差する方向に延長される。その交差する領域で放電セルＣｅが限定される。
【００２３】
図２では、３電極構造のプラズマディスプレイパネルの電極配置を示しているが、本発明のプラズマディスプレイパネルの駆動方法は、３電極構造のプラズマディスプレイパネルにも２電極構造のプラズマディスプレイパネルにも適用されうる。以下では、３電極構造を基本に説明する。
【００２４】
図２に基づいてプラズマディスプレイパネルの構造を簡略に説明すれば、プラズマディスプレイパネルは第１の基板及び第２の基板と、第１の基板と第２の基板との間に互いに交差する複数の電極、その交差する領域が放電セルに限定されるように第１の基板及び第２の基板と共に放電空間の放電セルを形成する隔壁、放電セル内に配置される蛍光体層、及び放電ガスを備える。
【００２５】
図３は、アドレスディスプレイ分離（ＡＤＳ）駆動方法を簡略に示すタイミング図である。
【００２６】
図３を参照して説明すれば、画像を表示する単位フレームは、複数のサブフィールドＳＦに分けられ、各サブフィールドＳＦはリセット期間Ｒ、アドレス期間Ａ及び維持期間Ｓに分けられる。リセット期間Ｒは、全体放電セルを初期化する期間であり、アドレス期間Ａは、全体放電セルのうち点灯する放電セルと点灯しない放電セルとを区分する期間であり、維持期間Ｓは、点灯する放電セルに選択された放電セルで各サブフィールドＳＦごとに割り当てられた階調加重値によって維持放電を行う期間である。プラズマディスプレイパネルは、前記のようにサブフィールドＳＦ別にリセット期間Ｒ、アドレス期間Ａ及び維持期間Ｓによる駆動信号を印加する時分割駆動方法によって駆動される。
【００２７】
図３では、単位フレームを８個のサブフィールドＳＦ１〜ＳＦ８に分け、各サブフィールドはリセット期間（図示せず）、アドレス期間Ａ１〜Ａ８及び維持期間Ｓ１〜Ｓ８に分けられ、各サブフィールドの階調加重値を第１のサブフィールドＳＦ１から第８のサブフィールドＳＦ８まで１Ｔ，２Ｔ，…，１２８Ｔのように割り当てたが、これは一例に過ぎず、これに限定されない。すなわち、単位フレームのサブフィールド数は８個より少ないか、或いは多いことがあり、サブフィールド別の階調加重値の割り当ても例示されたところとは違って設計仕様によって変更できる。
【００２８】
図４は、本発明のプラズマディスプレイパネルの駆動方法が適用されうるプラズマディスプレイ装置を簡略に示すブロック図である。
【００２９】
図４を参照して説明すれば、プラズマディスプレイ装置は、映像処理部３００と、論理制御部３０２と、Ｙ駆動部３０４と、アドレス駆動部３０６と、Ｘ駆動部３０８と、プラズマ表示パネル１と、を備える。
【００３０】
映像処理部３００は、外部からＰＣ信号、ＤＶＤ信号、ビデオ信号、ＴＶ信号などの外部映像信号が入力されてアナログ信号をディジタル信号に変換し、ディジタル信号を映像処理して内部映像信号として出力する。内部映像信号は、それぞれ８ビットの赤色（Ｒ）、緑色（Ｇ）、及び青色（Ｂ）の映像データ、クロック信号、垂直及び水平同期信号である。
【００３１】
論理制御部３０２は、映像処理部３００からの内部映像信号が入力されてガンマ補正、ＡＰＣ（Automatic Power Control）段階などを経てそれぞれ、Ｙ駆動制御信号ＳＹと、アドレス駆動制御信号ＳＡと、Ｘ駆動制御信号ＳＸと、を出力する。
【００３２】
Ｙ駆動部３０４は、論理制御部３０２からのＹ駆動制御信号ＳＹが入力されて第１の電極（走査電極）に駆動信号を印加し、アドレス駆動部３０６は、論理制御部３０２からのアドレス駆動制御信号ＳＡが入力されて第３の電極（アドレス電極）に駆動信号を印加し、Ｘ駆動部３０８は、論理制御部３０２からのＸ駆動制御信号ＳＸが入力されて第２の電極（維持電極）に駆動信号を印加する。以下では、第１の電極を走査電極、第２の電極を維持電極、第３の電極をアドレス電極としても記述する。
【００３３】
Ｙ駆動部３０４は、リセット期間に走査電極Ｙ１，…，Ｙｎにリセットパルスを印加する。リセットパルスは、リセット立下りパルスのみから構成され、リセット立上りパルス及びリセット立下りパルスから構成されてもよい。リセットパルスによって放電セル内に壁電荷がたまるか、或いは消去されながら放電セルが初期化される。また、アドレス期間にハイレベルを維持していて順次にローレベルを有する走査パルスを印加し、維持期間にハイレベル及びローレベルを有する維持パルスを印加する。
【００３４】
アドレス駆動部３０６は、アドレス期間に前記走査パルスに合わせてハイレベルを有する表示データ信号を印加する。表示データ信号及び走査パルスによってアドレス期間でアドレス放電が行われる。
【００３５】
Ｘ駆動部３０８は、リセット期間及びアドレス期間にバイアス電圧を印加し、維持期間に維持パルスを印加する。本発明と関連してリセット立下りパルス印加期間からバイアス電圧を印加し、リセット立下りパルス印加期間からリセット期間終了までのうち所定期間の間には、第２の電極をフローティングさせるか（図５参照）、或いは第２の電極にバイアス立下りパルスを印加できる（図６参照）。
【００３６】
図５は、本発明であるプラズマディスプレイパネルの駆動方法の一例を示すタイミング図である。
【００３７】
図５参照して説明すれば、リセット期間ＰＲに走査電極Ｙ１，…，Ｙｎにリセット立上りパルス及びリセット立下りパルスからなるリセットパルスが印加され、維持電極Ｘ１，…，Ｘｎには、リセット立下りパルス印加から第１の期間Ｔａの間にバイアス電圧Ｖｂを印加していて、第１の期間Ｔａ後からリセット期間終了までの第２の期間Ｔｂの間に維持電極Ｘ１，…，Ｘｎはフローティングされる。
【００３８】
アドレス期間ＰＡに、走査電極Ｙ１，…，Ｙｎには、ハイレベルＶｓｃｈ及びローレベルＶｓｃｌを順次に有する走査パルスが印加され、アドレス電極Ａ１，…，Ａｍには、走査パルスに合わせてハイレベルＶａを有する表示データ信号が印加され、維持電極Ｘ１，…，Ｘｎには続けてバイアス電圧Ｖｂが印加される。
【００３９】
維持期間ＰＳに、走査電極Ｙ１，…，Ｙｎ及び維持電極Ｘ１，…，Ｘｎには、ハイレベルＶｓ及びローレベルＶｇを交互に有する維持パルスが交互に印加される。
【００４０】
図６は、本発明のプラズマディスプレイパネルの駆動方法の他の例を示すタイミング図である。
【００４１】
図６を参照して説明すれば、リセット期間ＰＲに走査電極Ｙ１，…，Ｙｎにリセット立上りパルス及びリセット立下りパルスからなるリセットパルスが印加され、維持電極Ｘ１，…，Ｘｎには、リセット立下りパルス印加から第３の期間Ｔｃの間にバイアス電圧Ｖｂを印加していて、第３の期間Ｔｃ後からリセット期間終了までの第４の期間Ｔｄの間に維持電極Ｘ１，…，Ｘｎには、バイアス立下りパルスが印加される。
【００４２】
アドレス期間ＰＡに、走査電極Ｙ１，…，Ｙｎには、ハイレベルＶｓｃｈ及びローレベルＶｓｃｌを順次に有する走査パルスが印加され、アドレス電極Ａ１，…，Ａｍには、走査パルスに合わせてハイレベルＶａを有する表示データ信号が印加され、維持電極Ｘ１，…，Ｘｎには続けてバイアス電圧Ｖｂが印加される。
【００４３】
維持期間ＰＳに、走査電極Ｙ１，…，Ｙｎ及び維持電極Ｘ１，…，Ｘｎには、ハイレベルＶｓ及びローレベルＶｇを交互に有する維持パルスが交互に印加される。
【００４４】
図５及び図６の駆動方法による放電セル内の壁電荷状態を、図７Ａ〜図７Ｃを参照して説明する。
【００４５】
図７Ａは、図１、図５及び図６でのリセット立上りパルス直後の放電セル内の壁電荷を示す図であり、図７Ｂは、図１のリセット立下りパルス直後の放電セル内の壁電荷を示す図であり、図７Ｃは、図５又は図６のリセット立下りパルス直後の放電セル内の壁電荷を示す図である。
【００４６】
先ず、図５及び図６で示すようにリセット期間ＰＲに走査電極Ｙ１，…，Ｙｎにリセット立上りパルスを印加する場合に、図７Ａのように走査電極Ｙ近傍には、負極性の壁電荷がたまり始め、アドレス電極Ａと維持電極Ｘ近傍には、正極性の壁電荷がたまり始める。壁電荷が各電極近傍にたまり始めながら微弱な放電が行われる。
【００４７】
次に、リセット立上りパルス印加後に、走査電極Ｙ１，…，Ｙｎにリセット立下りパルスを印加し、維持電極Ｘ１，…，Ｘｎに一旦、バイアス電圧Ｖｂを印加していて図５のように維持電極をフローティングさせるか、図６のように維持電極にバイアス立下りパルスを印加すれば、図７Ｃのような壁電荷状態がつくられる。すなわち、アドレス電極Ａ近傍には、正極性の壁電荷がたまり、維持電極Ｘと走査電極Ｙ近傍には、極小量の負極性の壁電荷がたまるようになる。これは、維持電極Ｘ１，…，Ｘｎに印加されるバイアス電圧Ｖｂの電位をフローティング又は立下りパルスのような方法で下げて維持電極Ｘと走査電極Ｙとの間に発生する放電を微弱にして、適切に壁電荷を消去したからである。
【００４８】
一方、図１の駆動方法を使用すれば、特に、図１の駆動方法がＸｅの分圧が高い放電ガスを使用するプラズマディスプレイパネルに適用されれば、走査電極Ｙ１，…，Ｙｎにリセット立下りパルスが印加され、維持電極Ｘ１，…，Ｘｎにバイアス電圧Ｖｂが印加される間に、維持電極Ｘと走査電極Ｙの間の電位差が大きくて、維持電極Ｘと走査電極Ｙの間で強放電が発生して図７Ｂのように、アドレス電極Ａ近傍には正極性の壁電荷が、維持電極Ｘ近傍には負極性の壁電荷がたまるようになる。このような壁電荷状態は、アドレス期間の間に点灯する放電セルに選択されない放電セルで、維持期間の間に所望しない維持放電（誤放電）が発生するように誘導しうる。結局、本発明の駆動方法である図５、図６の駆動方法によって、図７Ｂのような問題点を除去できる。
【００４９】
図５、図６によれば、リセット期間ＰＲ終了時に図７Ｃのような壁電荷状態が形成され、アドレス期間ＰＡには走査パルスと表示データ信号とによって、点灯するセルに選択された放電セルでアドレス放電が行われる。アドレス放電が行われた放電セルでは、維持電極近傍に負極性の壁電荷が、走査電極近傍には正極性の壁電荷がたまる。アドレス放電が行われない放電セルは、図７Ｃのような壁電荷状態を持ち続ける。
【００５０】
図５、図６によれば、維持期間ＰＳで、走査電極Ｙ１，…，Ｙｎと維持電極Ｘ１，…，Ｘｎとに維持パルスが交互に印加されて、アドレス期間ＰＡで選択された放電セルで維持放電が行われる。すなわち、アドレス期間ＰＡに予めたまった壁電荷状態と、印加される維持パルスのハイレベルＶｓ及びローレベルＶｇとによって維持放電が開始される。一方、アドレス期間ＰＡで選択されない放電セルは、図７Ｃのような壁電荷状態を維持するため、維持パルスのハイレベルＶｓ及びローレベルＶｇが印加されても維持放電が開始されない。従って、誤放電が発生しない。
【００５１】
図５及び図６では、リセット期間ＰＲに、リセットパルスとしてリセット立上りパルス及びリセット立下りパルスが示されているが、これに限定されない。リセットパルスは、リセット立下りパルスのみよりなることもある。すなわち、本発明の駆動方法は、選択的リセット方法でも採用が可能である。
【００５２】
選択的リセット駆動方法は、複数のサブフィールドのうち所定のサブフィールドのリセット期間では、走査電極Ｙ１，…，Ｙｎにリセット立上りパルス及びリセット立下りパルスを印加し、所定のサブフィールド以外のリセット期間では、走査電極Ｙ１，…，Ｙｎにリセット立下りパルスのみを印加する。すなわち、リセット立上りパルス及びリセット立下りパルスを印加する場合は、全体放電セルを初期化し、リセット立下りパルスのみを印加する場合には、その前のサブフィールドの維持期間で維持放電が行われた放電セルのみを初期化する。
【００５３】
本発明では、リセット立下りパルス印加時に、維持電極Ｘ１，…，Ｘｎに印加されるバイアス電圧Ｖｂの電位を低めるために所定期間の間、維持電極をフローティングさせるか、維持電極にバイアス立下りパルスを印加するので、選択的リセット方法でも採用が可能である。
【００５４】
本発明は、図面に示された実施形態を参考に説明されたが、これは例示的なものであり、限定的なものではなく、当業者であれば、これから多様な変形及び均等な他の実施形態が可能であるという点を理解できるであろう。したがって、本発明の真の技術的保護範囲は、特許請求の範囲によって決められるべきである。
【産業上の利用可能性】
【００５５】
本発明であるプラズマディスプレイパネルの駆動方法は、ディスプレイ関連の技術分野に適用可能である。
【図面の簡単な説明】
【００５６】
【図１】プラズマディスプレイパネルを駆動するための従来の駆動信号を示すタイミング図である。
【図２】本発明のプラズマディスプレイパネルの駆動方法が適用されうるプラズマディスプレイパネルの電極配置を示した一例の図である。
【図３】アドレスディスプレイ分離駆動方法を簡略に示すタイミング図である。
【図４】本発明のプラズマディスプレイパネルの駆動方法が適用されうるプラズマディスプレイ装置を簡略に示したブロック図である。
【図５】本発明のプラズマディスプレイパネルの駆動方法の一例を示すタイミング図である。
【図６】本発明のプラズマディスプレイパネルの駆動方法の他の例を示すタイミング図である。
【図７Ａ】図１、図５及び図６でのリセット立上りパルス直後の放電セル内の壁電荷を示す図である。
【図７Ｂ】図１のリセット立下りパルス直後の放電セル内の壁電荷を示す図である。
【図７Ｃ】図５又は図６のリセット立下りパルス直後の放電セル内の壁電荷を示す図である。
【符号の説明】
【００５７】
１        プラズマ表示パネル
３００    映像処理部
３０２    論理制御部
３０４    Ｙ駆動部
３０６    アドレス駆動部
３０８    Ｘ駆動部
Ａ１，…，Ａｍ    アドレス電極（第３の電極）
Ｘ１，…，Ｘｎ    維持電極（第２の電極）
Ｙ１，…，Ｙｎ    走査電極（第１の電極）
Ｃｅ      セル
【図１】
2007133353.tif 000003
【図２】
2007133353.tif 000004
【図３】
2007133353.tif 000005
【図４】
2007133353.tif 000006
【図５】
2007133353.tif 000007
【図６】
2007133353.tif 000008
【図７Ａ】
2007133353.tif 000009
【図７Ｂ】
2007133353.tif 000010
【図７Ｃ】
2007133353.tif 000011